(57)【要約】【課題】  従来、荷重のかかる物は概ね環状の取っ手や、棒状の形態を有する取っ手を介する事によって手指で掴む際に力を入れ易くさせてあるが、握力の弱った状態では重さに耐える事が出来なくなる恐れがある。また無理に掴んだ状態を保ち、手指に負担をかけ続けると手指を痛めたり、様々な症状が出てくる恐れがある【解決手段】  手袋の手掌面に設けられた補助部にて、取っ手に被せた上から掴む事で、前記取っ手から補助部にかかる重さと下方向から掴む指の握力によって発生する、指部と補助部の摩擦によって握力の低下による取っ手の脱落を抑制する。【選択図】図１
2011001674.tif 000002
【特許請求の範囲】
【請求項１】
物を掴む際に用いられる手袋の手掌面において、示指側から小指側にかけて横方向に連絡すると供に指先方向へ伸びた柔軟性を有する板状あるいは布状の補助部が設けられ、物を掴む際には手首側より補助部で覆う様に掛けた上で、示指から小指までの指にて補助部先端方向より補助部ごと掴むことで生じる、示指から小指までの指が補助部との接触面の摩擦によって長時間に渡り掴み続ける事を特徴とする握力補助手袋。
【請求項２】
請求項１における握力補助手袋において、手袋の手掌面において示指側から小指側にかけて横方向に連絡すると供に指先方向へ伸びた柔軟性を有する板状あるいは布状の補助部表面に滑り止め加工が設けられ、物を掴む際には手首側より補助部で覆う様に掛けた上で、示指から小指までの指にて補助部先端方向より補助部ごと掴むことで生じる、示指から小指までの指が補助部との接触面の摩擦がより強力となり、長時間に渡り掴み続ける事を特徴とする請求項１の握力補助手袋。
【発明の詳細な説明】
【技術分野】
【０００１】  本発明は、握力補助手袋に関する。
【背景技術】
【０００２】  従来、自らの手で持てる重さの物を運搬する場合は、概ね環状あるいは棒状の形態を有する取っ手を介する事によって、手指で掴む際には無理なく持ち運べる様になっている。
しかし、限界に近い重さの物を持ったり、長い時間に渡って持ち続けた場合や握力の弱った状態では、重さに耐える事が出来なくなる恐れがある。
また握力の低下を考慮して考案された握力補助手袋については、あらかじめ指が曲げられた状態の形状をしたもの（特許文献１参照）はあった。
【先行技術文献】
【特許文献】
【０００３】
【特許文献１】特許公開２００２−２２７０１５
【発明の概要】
【発明が解決しようとする課題】
【０００４】  従来の手袋にあっては、物を掴む際に接触する表面において滑り止めの加工がしてある物もあるが、時間の経過と供に握力が弱くなって掴む事を維持できなくなる。
また［特許文献１］においては、使用者の指節関節が使用する角度を想定し、あらかじめ形状記憶板を用いて関節の角度に形状を変形させなければならず、そのための手間がかかるうえに、他の形状の物であればその度に変形を必要とした。
本発明は、上記問題点を解決するために成なされたものである。
【課題を解決するための手段】
【０００５】  本発明は上記目的を達成する為に、手袋の手掌面において示指側から小指側にかけて横方向に連絡すると供に指先方向へ伸びた柔軟性を有する板状あるいは布状の補助部が設けられた事を特徴とする握力補助手袋。【０００６】  また第２の解決手段は、手袋の手掌面において示指側から小指側にかけて横方向に連絡すると供に指先方向へ伸びた柔軟性を有する板状あるいは布状の補助部表面に滑り止め加工が設けられた事を特徴とする握力補助手袋。【０００７】  上記の課題解決手段による第１の作用は次の通りである。すなわち鞄等の取っ手を握る際に手首側より補助部で覆う様に掛けた上で、示指から小指までの指にて補助部先端方向より補助部ごと巻いたまま掴む。【０００８】  また上記の課題解決手段による第２の作用は次の通りである。すなわち鞄等の取っ手を握る際に、手首側より滑り止め加工が設けられた補助部で覆う様に掛けた上で、示指から小指までの指にて補助部先端方向より補助部ごと掴む。
【発明の効果】
【０００９】  上述したように本発明の握力補助手袋は、鞄等の取っ手を掴んだ際に生じる、示指から小指までの指が補助部との接触面の摩擦によって、長時間に渡り掴み続けても手指にかかる負担を軽減出来る。【００１０】  また請求項２の発明によれば、請求項１における握力補助手袋の補助部に設けられた滑り止めによって、鞄等の取っ手を掴んだ際に生じる、示指から小指までの指と補助部との接触面の摩擦がより強力となり、長時間に渡り掴み続けても、手指にかかる負担を軽減出来る。
【図面の簡単な説明】
【００１１】
【図１】  発明を実施するための、最良の形態に係る握力補助手袋（Ａ）の斜視図である。
【図２】  握力補助手袋（Ａ）を（Ｙ）方向より見た図である。
【図３】  握力補助手袋（Ａ）と取っ手（５）を、（Ｘ）方向より示す側方断面図である。
【図４】  握力補助手袋（Ａ）を用いて、取っ手（５）を掴んだ様子を（Ｘ）方向より示した側方断面図である。
【図５】  握力補助手袋（Ａ）を用いて、取っ手（５）を掴んだ状態を（Ｙ）方向より示した図である。
【図６】  手袋（１）を用いて、取っ手（５）を掴んだ状態を（Ｘ）方向より示した側方断面図である。
【図７】  握力補助手袋（Ａ）の補助部（２）が、スベリ止め補助部（６）になった状態を（Ｙ）方向より示した図である。
【発明を実施するための形態】
【００１２】  以下、本発明を実施するための、第１の形態を図１から図６において説明する。
【００１３】  図１および図２より、握力補助手袋（Ａ）は手袋（１）と同手袋（１）の手掌面（３）に設けられた、示指側から小指側にかけて横方向に連絡すると供に、指先方向へ伸びた柔軟性を有する板状あるいは布状の補助部（２）より構成されている。
【００１４】  図３および図５より、本発明を使用する際に用いられる握力補助手袋（Ａ）は、手首側より取っ手（５）を手掌面（３）と補助部（２）の間にて覆う様に掛けた上で、補助部（２）の先端方向より示指から小指までの指部（４）にて補助部（２）ごと巻いたまま掴む。
上記の状態によれば、取っ手（５）の重さが下方へと働き、示指から小指までの指部（４）と補助部（２）との接触面に双方からの圧力が加わり、発生した摩擦によって（Ｚ）方向へと広がる力を抑制する。
【００１５】図６においては、補助部（２）が設けられていない手袋（１）によって、取っ手（５）を掴んだ状態を示しており、この場合には指部（４）との摩擦も発生しなくなり、取っ手（５）の重さが示指から小指までの指部（４）に直接かかり、（Ｚ）方向へと広がりやすくなる。
【００１６】  本発明を実施するための第２の形態を図７において説明すると、前記補助部（２）に滑り止めの加工がなされたスベリ止め補助部（６）が設けられており、示指から小指までの指部（４）と補助部（２）との接触面に双方からの圧力が加わった事で発生する摩擦がより大きくなり、（Ｚ）方向へと広がる力をさらに抑制するため、より長時間に渡り掴み続けても、手指にかかる負担を軽減する事が出来る。
【符号の説明】
【００１７】Ａ、握力補助手袋
１、手袋
２、補助部
３、手掌面
４、指部
５、取っ手
６、スベリ止め補助部
【図１】
2011001674.tif 000003
【図２】
2011001674.tif 000004
【図３】
2011001674.tif 000005
【図４】
2011001674.tif 000006
【図５】
2011001674.tif 000007
【図６】
2011001674.tif 000008
【図７】
2011001674.tif 000009